(57)【要約】【課題】本発明は、ソケットコネクタを提供し、カバーはベースに対して摺動する方向に垂直な方向に側向偏向を生じることを回避し、中央処理装置チップの挿入ピンは該ソケットコネクタの導電端子と安定的に電気的に接続することを保証することを目的とする。【解決手段】本発明のソケットコネクタはベース１０と、該ベース１０に摺動可能に組み付けられるカバー２０と、該ベース１０に設けられる複数の導電端子３０と、駆動装置４０と、導引位置決め機構５０と、を含み、該導引位置決め機構５０は円柱状の導引部５１及び第１端部５２１と第２端部５２２１とを有し、導引部５１が摺動可能に設けられる導引溝５２を含み、該導引溝５２の第１端部５２１に空間が導引部５１より大きな収容領域が形成され、第２端部５２２１に空間が第１端部５２１の収容領域より小さな導引領域が形成される。【選択図】　　　図３
2004022538.tif 000002
【特許請求の範囲】
【請求項１】
中央処理装置チップを搭載して回路基板に接合することに用いられるソケットコネクタであって、
複数の端子収容孔が開設されるベースと、
前記ベースに組み付けられ、第１位置と第２位置との間に摺動し、ベースの端子収容孔と対応して複数の挿入孔が設けられるカバーと、
前記ベースの端子収容孔に収容される複数の導電端子と、
前記ベースと前記カバーとの間に取り付けられ、回転によりカバーがベースに摺動する駆動力を提供する駆動装置と、
前記ベースと前記カバーとの間に形成され、導引部及び導引溝を含み、導引部に空間が比較的大きな収容領域を形成する第１端部及び空間が比較的小さな導引領域を形成する第２端部が設けられ、カバーがベースに対して第１位置と第２位置との間を摺動する際に、導引部は収容領域または導引領域と選択的に合わせられ、カバーが第１位置にある際に、ベースに対して所定の側向偏向空間があり、第２位置にある際に、カバーは摺動方向に対して垂直な方向に位置決めされる導引位置決め機構と、
を備えることを特徴とするソケットコネクタ。
【請求項２】
前記導引部は、カバーの底部から下方向へ垂直に一体に延伸される一対の円柱体であって、導引溝の側壁と線接触に形成され、導引溝はベースのボディを貫通して導引部と対応する所に設けられていることを特徴とする請求項１に記載のソケットコネクタ。
【請求項３】
前記導引部はベースのボディの上表面から上方向へ垂直に一体に延伸される一対の円柱体であって、導引溝の側壁と線接触に形成され、導引溝はカバーを貫通して導引部と対応する所に設けられていることを特徴とする請求項１に記載のソケットコネクタ。
【請求項４】
前記カバーが第１位置にある際に、中央処理装置チップの挿入ピンは導電端子と離脱し、カバーが第２位置にある際に、中央処理装置チップの挿入ピンは導電端子と電気的に接続していることを特徴とする請求項１に記載のソケットコネクタ。
【請求項５】
前記導引溝の第１端部に形成される収容領域は大きな円弧孔であって、且つ該大きな円弧孔の直径は導引柱の直径より大きく、導引溝の第２端部に形成される導引領域は直径が導引柱の外径と等しく小さな円形孔であって、該小さな円形孔は大きな円弧孔と矩形孔により連通していることを特徴とする請求項２または３に記載のソケットコネクタ。
【請求項６】
前記導引溝は逆にされた「凸」字型に形成され、即ち第１端部の収容領域は大きな矩形孔であって、第２端部の導引領域は内径が導引柱の外径と等しい円弧孔であって、該円弧孔は矩形孔と小さな矩形により連通していることを特徴とする請求項２または３に記載のソケットコネクタ。
【請求項７】
前記導引溝の第１端部に形成される収容領域は大きな円弧孔であって、且つ該大きな円弧孔の直径は導引柱の直径より大きく、導引溝の第２端部に形成される導引領域は直径が導引柱の外径と等しく小さな円形孔であって、該小さな円形孔は梯形孔により大きな円弧孔と連通していることを特徴とする請求項２または３に記載のソケットコネクタ。
【請求項８】
前記導引溝は等腰梯形に形成され、第１端部は寸法が大きな一端部であり、第２端部は寸法が小さな他の一端部であることを特徴とする請求項２または３に記載のソケットコネクタ。
【請求項９】
前記駆動装置は操作レバー及び該操作レバーと垂直につながる駆動軸を含み、該駆動装置にねじ部が設けられていることを特徴とする請求項１に記載のソケットコネクタ。
【発明の詳細な説明】
【０００１】
【発明の属する技術分野】
本発明はソケットコネクタに関し、特に中央処理装置（ＣＰＵ）チップを搭載して回路基板に接合することに用いられるゼロ挿入力ソケットコネクタに関するものである。
【０００２】
【従来の技術】
従来のゼロ挿入力ソケットコネクタ（例えば非特許文献１及び特許文献１乃至特許文献４参照）は通常、ベースと、該ベースに設けられる導電端子と、ベースに組み付けられるカバーと、駆動装置と、を含み、該駆動装置は操作レバー及び該操作レバーと一体につながり、ベースとカバーとの間に挟持されるカム軸を含み、該操作レバーはカム軸を操縦し、且つカム軸の偏心回転によりカバーを駆動し、ベースに対して摺動させ、カバーに挿設される中央処理ユニットの挿入ピンも移動し、導電端子とは離脱状態から接続状態になる。この過程中に、カバーが上方向へ過度に運動してベースから離脱することを防止するために、該コネクタは係合機構（例えば特許文献１の明細書の図面の図８及び図８Ａ）を更に含む。しかし、該結構を有するコネクタは短い摺動行程だけ提供し、カバーの摺動行程はカム軸の直径と相関するため、摺動行程が長ければカム軸の直径が増加し、カバーは上方向へ運動する距離も増加し、ベースとカバーとの係合に対して不利になる。
【０００３】
図１及び図２を参照すると、他の従来のソケットコネクタ（例えば特許文献５参照）は同様にベースと、導電端子と、カバーと、駆動装置と、を含む。該駆動装置は操作レバー及びねじ部を形成する駆動軸を含み、カバーに該ねじ部と合わせる収容孔が開設され、操作レバーにより駆動軸を回転させ、ねじ部は回転して前進し、カバーを押圧してベースに沿って水平に摺動する（図１のＦ方向）。当該機構を有するコネクタは前記ソケットコネクタよりカバーの摺動行程が長く、且つカバーは摺動する過程中に上方向へ運動する傾向にはない。該コネクタは導引位置決め機構が更に設けられ、カバー８０の摺動を導引し、摺動方向に対して垂直な方向に側向偏向を生じることを回避し、中央処理装置チップは該コネクタと安定的に電気的に接続することを保証する。該導引位置決め機構はカバー８０から下方向へ延伸される一対の導引部８１及びベース７０に相応して開設される狭い貫通溝を含み、該導引部８１の末端に内方向へラッチ部８２が湾曲され、ベース７０の肩部７２と相応して係合する。しかし、当該導引位置決め機構は功効が安定せず、組み立てる際に、ラッチ部があることにより、導引部は貫通溝に容易に組み込むために、通常、組み込む余裕が残され、即ち、導引部は貫通溝に組み込んだ後、貫通溝の２つの側壁に隙間Ｂが形成され、ねじ部がカバーを駆動して摺動する際に、ねじ部によりカバーは摺動方向に対して垂直する方向の側向ｆ方向（図１に示すように）に摩擦力を受け、ｆ方向に偏向を生じることが可能になる。業界は鉄片を隙間Ｂに詰め込むことを通して、カバーが側向に運動することを制限し、しかし、このように、導引部８１が貫通溝７１に摺動する過程中にラッチ部８２は貫通溝７１の内側壁及び該鉄片と面摩擦を生じ、比較的に大きな摺動摩擦力を生じ、カバー８０をベース７０に対して摺動させる操作は比較的に大きな駆動力が必要になる。
【０００４】
【非特許文献１】
ＺＩＦ　ＰＧＡ　ＳＯＣＫＥＴ　（１９９５年２月に発行された米国の「ＣＯＮＮＥＣＴＯＲ　ＳＰＥＣＩＦＩＥＲ」という雑誌の第２ページ）
【特許文献１】
米国特許第５７２２８４８号明細書
【特許文献２】
米国特許第５４８９２１８号明細書
【特許文献３】
米国特許第６３７１７８６号明細書
【特許文献４】
中国実用新案の登録出願第２２５６１６９Ｙ号公報
【特許文献５】
米国特許第６２８０２２３号明細書
【０００５】
【発明が解決しようとする課題】
本発明は、主に一種のソケットコネクタを提供し、カバーはベースに対して摺動する方向に垂直な方向に側向偏向を生じることを回避し、中央処理装置チップの挿入ピンは該ソケットコネクタの導電端子と安定的に電気的に接続することを保証することを目的とする。
【０００６】
本発明は組立が便利で、操作過程中に摩擦力が小さく、操作を容易にする導引位置決め機構を有するソケットコネクタを提供することを他の目的とする。
【０００７】
【課題を解決するための手段】
前記発明の課題を解決するために、本発明のソケットコネクタは中央処理装置（ＣＰＵ）チップを搭載して回路基板に接合することに用いられ、ベースと、該ベースに摺動可能に組み付けられるカバーと、該ベースに設けられる複数の導電端子と、駆動装置と、導引位置決め機構と、を含み、該導引位置決め機構は円柱状の導引部及び第１端部と第２端部とを有し、導引部が摺動可能に設けられる導引溝を含み、該導引溝の第１端部に空間が導引部より大きな収容領域が形成され、第２端部に空間が第１端部の収容領域より小さな導引領域が形成され、カバーがベースに対して摺動する際に、導引部は収容領域から導引領域に摺動し、且つ導引領域の内側に押圧し、カバーはベースに対して摺動する方向に垂直する方向に側向偏向を生じることを制限する。
【０００８】
【発明の実施の形態】
図３乃至図５を参照すると、本発明のソケットコネクタ１は中央処理装置（ＣＰＵ）チップ（図示せず）を搭載して回路基板（図示せず）に接合することに用いられ、チップの挿入ピンを回路基板に相応して電気的に接続させ、ベース１０と、該ベース１０に摺動可能に組み付けられるカバー２０と、該ベース１０に設けられる複数の導電端子３０と、駆動装置４０と、導引位置決め機構５０と、を含む。
【０００９】
前記ベース１０はボディ１１及び該ボディ１１の一端部から延出される凸部１２を含む。該ボディ１１にマトリックスに形成され、導電端子３０を収容するための複数の端子収容孔１１１が開設され、ボディ１１の凸部１２に隣接する一側にカバー２０の摺動方向に沿って収容溝１１２が設けられ、ボディ１１の両側に複数の狭い楔形凸部１１３が突設される。
【００１０】
前記カバー２０はベース１０の上表面１１４に取り付けられ、駆動装置４０の駆動作用により第１位置と第２位置との間に摺動し、カバー２０にベース１０の端子収容孔１１１と対応し、中央処理装置チップの挿入ピンと挿接するための複数の挿入孔２１が設けられる。カバー２０が第１位置にある際に、中央処理装置チップの挿入ピンは導電端子３０と接触せず、カバー２０が第２位置にある際に、中央処理装置チップの挿入ピンは導電端子３０と電気的に接続する。カバー２０の上表面は前記ベース１０の収容溝１１２と対応する所に溝口２３１を有する金属片２３を収容するための方形のグルーブ２２が設けられる。カバー２０の両側にベース１０の楔形凸部１１３と合わせてカバー２０が上方向へ運動することを防止する複数の切口２４が凹設される。
【００１１】
前記駆動装置４０はベース１０に組み付けられる凸部１２の操作レバー４１及び該操作レバー４１と垂直につながる駆動軸４２を含む。該駆動軸４２に底部が前記ベース１０の収容溝１１２に収容でき、頂部が前記金属片２３の溝口２３１に収容できるねじ部４２１が設けられる。操作レバー４１が開いた位置と閉鎖位置との間で回転する際に、ねじ部４２１は操作レバー４１の回転に従って、収容溝１１２に同時に対して回転し、カバー２０はねじ部４２１が金属片２３に対しての押圧により第１位置と第２位置との間で線形的に摺動する。
【００１２】
図６乃至図９を併せて参照すると、前記導引位置決め機構５０はカバー２０とベース１０との間に設けられ、カバー２０のグルーブ２２に隣接する両側から下方向へ垂直して一体に延出される一対の円柱形導引部５１及びベース１０のボディ１１の収容溝１１２に隣接する両側にボディ１１を貫通して設けられる導引溝５２を含み、該導引部５１は導引溝５２に収容し、カバー２０の摺動に従って、移動する。図６及び図７を参照すると、該導引溝５２は凸部１２に隣接し、円弧状に形成される第１端部５２１と、該第１端部５２１はカバー２０の摺動方向に沿って延伸される矩形孔５２２と、該矩形孔５２２の末端に形成され、円形孔状の第２端部と、を含み、該第１端部はカバー２０が第１位置にある際に、導引部５１を収容し、第２端部はカバー２０が第２位置にある際に、導引部５１を収容する。図８を参照すると、第１端部５２１の円弧孔は内径が導引部５１の外径より大きく、第１端部５２１に空間が比較的に大きな収容領域が形成され、カバー２０がベース１０と組み付ける際に、導引部５１は導引溝５２の第１端部５２１に順調に組み込むことができる。図９を参照すると、第２端部５２２１の円形孔は内径が導引部の外径と等しく、第２端部５２２１に空間が比較的小さな導引領域が形成され、カバー２０が第２位置に摺動する際に、導引部５１は第２端部５２２１の壁面と緊密に貼り合わせられ、カバー２０はベース１０のボディ１１に対して摺動方向に垂直する側向偏向を回避し、カバー２０の挿入孔２１はベース１０の端子収容孔１１１と正確に位置合わせ、中央処理装置チップの挿入ピンは該ソケットコネクタ１の導電端子３０と安定的に電気的に接続することを保証し得る。また、導引部５１は円柱状に形成されることによって、導引溝５２に対して摺動する過程中に、導引溝５２の側壁５２２３との間で線摩擦だけを生じ、従って、従来の導引部と導引溝との間の面摩擦より、摺動摩擦力が大いに低減され、操作が容易になる。
【００１３】
図１０を参照すると、本発明のソケットコネクタ１ａの第２実施形態において、該導引溝５２ａは逆にされた「凸」字型に概略に形成され、矩形孔５２２ａ及び第２端部５２２１ａは機構が第１実施形態に示された機構と同じ、第１端部５２１ａは第１実施形態に示された大きな円弧孔から横向に沿って設置される大きな矩形孔になり、該大きな矩形孔に形成される収容領域は空間が比較的大きく、同様に導引部５１ａは順調に組み込むことができる。
【００１４】
図１１を参照すると、本発明のソケットコネクタ１ｂの第３実施形態において、該導引溝５２ｂはしすく状に概略に形成され、第１端部５２１ｂ及び第２端部５２２１ｂは機構が第１実施形態に示された機構と同じ、第１実施形態に示された導引溝５２ｂの矩形孔は梯形孔５２２ｂに置換され、導引部５１ｂは第１位置から第２位置に摺動する過程中、導引溝５２ｂの両側壁５２２３ｂとほとんど接触せず、摩擦力を生じず、摩擦力による悪い影響を回避する。
【００１５】
図１２を参照すると、本発明のソケットコネクタ１ｃの第４実施形態において、該導引溝５２ｃは等腰梯形に形成され、寸法が小さな一端部は第２端部５２２１ｃであり、寸法が大きな一端部は第１端部５２１ｃである。該第１端部５２１ｃに形成された収容領域及び第２端部５２２１ｃに形成される導引領域は功効が前記３つの実施形態に掲示された功効と同じ、且つ第１端部５２１ｃと第２端部５２２１ｃとは梯形孔５２２ｃにより連通し、第３実施形態に掲示された梯形孔５２２ｂと同様に摩擦力による悪い影響を回避する。
【００１６】
前記導引位置決め機構は逆にさせ、即ち、導引部はベースのボディの上表面の収容溝の両側に隣接する所から延出して突設され、導引溝はカバーのグルーブの両側に隣接する所に開設される。導引部及び導引溝は機構及び功効が第１実施形態乃至第４実施形態に示されたのと同じである。
【００１７】
前記実施形態は単なる本発明のより良い実施形態であって、本発明の請求範囲を限定するものではなく、当業者が本発明に基づいてなしうる細部の修正或は変更などは、いずれも本発明の特許請求の範囲に属するものである。
【図面の簡単な説明】
【図１】従来のソケットコネクタの組立斜視図である。
【図２】従来のソケットコネクタは図１のＩＩ−ＩＩ線方向に沿う局部断面見取り図である。
【図３】本発明のソケットコネクタの分解斜視図である。
【図４】本発明のソケットコネクタは他の角度から見た分解斜視図である。
【図５】本発明のソケットコネクタの組立斜視図である。
【図６】本発明のソケットコネクタはカバーが第１位置にある時の底面から見た図である。
【図７】本発明のソケットコネクタはカバーが第２位置にある時の底面から見た図である。
【図８】本発明のソケットコネクタは図６のＶＩＩＩ−ＶＩＩＩ線方向に沿う局部断面見取り図である。
【図９】本発明のソケットコネクタは図７のＩＸ−ＩＸ線方向に沿う局部断面見取り図である。
【図１０】本発明のソケットコネクタは第２実施形態においてカバーが第２位置にある時の底面から見た図である。
【図１１】本発明のソケットコネクタは第３実施形態においてカバーが第２位置にある時の底面から見た図である。
【図１２】本発明のソケットコネクタはカバーが第４実施形態において第２位置にある時の底面から見た図である。
【符号の説明】
１、１ａ、１ｂ、１ｃ　ソケットコネクタ
１０、７０　ベース
１１　ボディ
１２　凸部
２０、８０　カバー
２１　挿入孔
２２　グルーブ
２３　金属片
２４　切口
３０　導電端子
４０　駆動装置
４１　操作レバー
４２　駆動カム
５１、５１ａ、５１ｂ、８１　導引部
５２、５２ａ、５２ｂ、５２ｃ　導引溝
７１　貫通溝
７２　肩部
８２　ラッチ部
１１１　端子収容孔
１１２　収容溝
１１３　楔形凸部
１１４　上表面
２３１　溝口
４２１　ねじ部
５２１、５２１ａ、５２１ｂ、５２１ｃ　第１端部
５２２、５２２ａ　矩形孔
５２２ｂ、５２２ｃ　梯形孔
５２２１、５２２１ａ、５２２１ｂ、５２２１ｃ　第２端部
５２２３、５２２３ｂ　側壁
【図１】
2004022538.tif 000003
【図２】
2004022538.tif 000004
【図３】
2004022538.tif 000005
【図４】
2004022538.tif 000006
【図５】
2004022538.tif 000007
【図６】
2004022538.tif 000008
【図７】
2004022538.tif 000009
【図８】
2004022538.tif 000010
【図９】
2004022538.tif 000011
【図１０】
2004022538.tif 000012
【図１１】
2004022538.tif 000013
【図１２】
2004022538.tif 000014